(57)【要約】【課題】販売と買い取りや貸し出しと返却というサービスに有効に活用できる記録メディアを提供することにある。【解決手段】記録メディア１はバーコードと英数字からからなる識別情報（ＩＤ）を記した識別情報部６と、非接触型でリード・ライタから送信される電波や電磁結合により電力供給を受け、メモリ部に書き込まれている識別情報（ＩＤ）を電磁結合や電波などを利用した無線信号をリード・ライタへ送信する非接触型のデータキャリア７のＩＣチップ部７ａやアンテナ部７ｂをセンターホール２内に臨ませている。【選択図】図１
2005050496.tif 000002
【特許請求の範囲】
【請求項１】
プログラムやデータが書き込まれる記録部を有する、ＣＤ−ＲＯＭ、ＣＤ−Ｒ、ＤＶＤ等の光学記録ディスクからなる記録メディアにおいて、各別な識別情報を書き込んだ複数の識別情報部を備え、複数の前記識別情報部の少なくとも一つがメディア使用により識別情報が読み取り不可となる識別情報部であることを特徴とする記録メディア。
【請求項２】
前記識別情報部として、書き込まれた識別情報が変更可能な識別情報部を少なくとも一つ用いていることを特徴とする請求項１記載の記録メディア。
【請求項３】
前記識別情報が変更可能な識別情報部として、識別情報が書き換え自在に書き込まれ、無線により読み取り手段へ前記識別情報を送信する非接触型のデータキャリアを用い、メディアベースに形成されたセンターホール内に前記データキャリアの一部を臨ませて機械的力によってデータキャリアの機能を損壊可能としたことを特徴とする請求項１又は２記載の記録メディア。
【請求項４】
前記データキャリアの全体の平面形状を円形状として前記センタホールの中心と同心に前記メディアベースの一面に配設し、前記メディアベースの他面には前記センターホールを囲むようにスタックリブを形成するとともに、該スタックリブの形成位置をスタックリブで囲まれる範囲内に前記データキャリアが収まる位置としていることを特徴とする請求項３記載の記録メディア。
【請求項５】
前記メディアベースの一面には前記データキャリアを嵌め込む凹部を設けるとともに、凹部の深さを嵌め込んだデータキャリアが凹部より外部に突出しない深さに形成していることを特徴とする請求項３又は４記載の記録メディア。
【請求項６】
前記センターホール内の一部若しくは全部を閉塞する部位を、切り目やＶ字状溝等の切り取り手段により切り取り可能に前記メディアベースに一体形成し、前記部位上に前記データキャリアの一部を配置していることを特徴とする請求項３乃至５の何れか記載の記録メディア。
【請求項７】
前記センターホール内の一部若しくは全部を閉塞する部位としてデータキャリアのベースを用いる前記センターホール内に臨む部位には円周上に複数の切り目を所定間隔で穿孔して形成した切り取り手段を設け、前記円周内に前記データキャリアのアンテナ若しくは、アンテナとＩＣチップとを接続するリード部を配置するとともに、前記円周が横切る方向の前記アンテナ若しくは前記リード部の幅を、切り目の円周方向の長さよりも大きくしていることを特徴とする請求項６記載の記録メディア。
【請求項８】
前記識別情報部として、印字情報が変更可能な再印字可能材料からなる印字エリアを有していることを特徴とする請求項１乃至７の何れか記載の記録メディア。
【発明の詳細な説明】
【技術分野】
【０００１】
本発明は、ゲームプログラムが音楽データ等の販売と買い取りや、貸し出しと返却というサービスに用いられるＣＤ−ＲＯＭ、ＣＤ−Ｒ、ＤＶＤ等の光学記録ディスクからなる記録メディアに関するものである。
【背景技術】
【０００２】
公衆電話機等のプリペイドカードとしてＩＣカードが最近用いられている。このＩＣカードは使用したときにパンチ孔を穿孔したり、ＩＣカードの一部を切り取ることで使用／未使用を判別可能として不正使用などを防ぐようになっている（特許文献１）。
【０００３】
一方ＣＤ−ＲＯＭ、ＣＤ−Ｒ、各種ＤＶＤ等の光学記録ディスクからなる記録メディアを販売或いは貸し出し、購買者或いは借り出した者がこの記録メディアをパーソナルコンピュータ（以下パソコンと言う）のＣＤやＤＶＤ等の光学記録ディスクに対応したドライブ装置にかけることで、ゲームプログラムや音楽データの提供を受け、またデータの提供回数（使用回数）等によって所定の料金で記録メディアを買い取ったり、貸出料金を決定するサービスに利用されるものとして最近提案されている。
【特許文献１】特開２０００−１８２０１５号公報（図１）
【発明の開示】
【発明が解決しようとする課題】
【０００４】
ところで、前記のＩＣカードを使用する機器は、一般が広く有する機器ではなく、販売する会社が提供する機器であるため、前記のように汎用のパソコンに備わった光学記録ディスク用ドライブ装置を利用する記録メディアを媒体とした上述のサービスには不適当であった。
【０００５】
つまりＣＤ−ＲＯＭやＣＤ−Ｒ、各種ＤＶＤ等の光学記録ディスクは、汎用のパソコンに付設するドライブ装置を用いるため、前記のような孔を穿孔する手段がドライブ装置には備わっておらず、また一部を切り取る場合にはドライブ装置が正常に動作しない恐れがあった。
【０００６】
一方前記光学記録ディスクたる記録メディアには、販売業者（販売店）の識別情報（ＩＤ）を買い込む識別情報部や、使用状態（未使用／使用、使用回数）を確認するための手段が備わっていなかったため、上述のサービスに有効に活用できず、サービスに有効で且つ不正使用を防ぐことができる記録メディアが希求されていた。
【０００７】
本発明は、上述の点に鑑みて為されたもので、その目的とするところは販売と買い取りや貸し出しと返却というサービスに有効に活用でき、しかも不正使用を防止することができる記録メディアを提供することにある。
【課題を解決するための手段】
【０００８】
請求項１の発明では、プログラムやデータが書き込まれる記録部を有する、ＣＤ−ＲＯＭ、ＣＤ−Ｒ、ＤＶＤ等の光学記録ディスクからなる記録メディアにおいて、各別な識別情報を書き込んだ複数の識別情報部を備え、複数の前記識別情報部の少なくとも一つがメディア使用により識別情報が読み取り不可となる識別情報部であることを特徴とする。
【０００９】
請求項１の発明によれば、複数の識別情報部に各別に書き込んだ識別情報により、識別情報の複雑化が図れ、そのため複製等の不正を抑制して不正使用を防止することができ、また使用により識別情報の読み取り不可となる識別情報部によって当該メディアが使用されたか未使用のものかを判別することができ、その結果買い取り価格や貸出料金の決定が容易となり、販売と買い取りや貸与と返却と或いは交換というサービスに有効な記録メディアを提供できる。
【００１０】
請求項２の発明では、請求項１の発明において、前記識別情報部として、書き込まれた識別情報が変更可能な識別情報部を少なくとも一つ用いていることを特徴とする。
【００１１】
請求項２の発明によれば、識別情報が可変な情報識別部を備えることで、複製等の不正抑制が可能となる。
【００１２】
請求項３の発明では、請求項１又は２の発明において、前記識別情報が変更可能な識別情報部として、識別情報が書き換え自在に書き込まれ、無線により読み取り手段へ前記識別情報を送信する非接触型のデータキャリアを用い、メディアベースに形成されたセンターホール内に前記データキャリアの一部を臨ませて機械的力によってデータキャリアの機能を損壊可能としたことを特徴とする。
【００１３】
請求項３の発明によれば、記録メディアのセンターホールに臨むデータキャリアの一部を損壊させることで、初めて記録メディアの使用が可能となるため、当該記録メディアの使用／未使用を、読み取り手段によるデータキャリアからの識別情報の読み取りの可／不可で判断することができ、そのため買い取りや返却処理或いは交換を自動処理することが可能となり、更に、非接触型のデータキャリアを用いることで、読み取り手段の耐久性向上やメンテナンスの頻度を少なくすることができ、また未使用の記録メディアに対しては必要に応じて識別情報の変更が書き込み手段により行えるため、記録メディアの再利用が可能となる。
【００１４】
請求項４の発明では、請求項３の発明において、前記データキャリアの全体の平面形状を円形状として前記センタホールの中心と同心に前記メディアベースの一面に配設し、前記メディアベースの他面には前記センターホールを囲むようにスタックリブを形成するとともに、該スタックリブの形成位置をスタックリブで囲まれる範囲内に前記データキャリアが収まる位置としていることを特徴とする。
【００１５】
請求項４の発明によれば、複数の記録メディアを積み重ねても下側のメディアベースのデータキャリアが上側のメディアベースのスタックリブ内に収まってメディアベースが傾くことがなく、そのため積み重ね枚数を最大限にできる。
【００１６】
請求項５の発明では、請求項３又は４の発明において、前記メディアベースの一面には前記データキャリアを嵌め込む凹部を設けるとともに、凹部の深さを嵌め込んだデータキャリアが凹部より外部に突出しない深さに形成していることを特徴とする。
【００１７】
請求項５の発明によれば、データキャリアがメディアベースの面に突出することなく配設できるから、積み重ねよる取り扱いがやり易くなるのは勿論のこと、メディアベースの一面側にリトライトフィルム等を貼り合わせても、取扱時において、積み重ねても記録メディアの厚みバランスにって傾くことがなく安定するので、積み重ねによる取り扱いにも支障がない。
【００１８】
請求項６の発明では、請求項３乃至５の何れかの発明において、前記センターホール内の一部若しくは全部を閉塞する部位を、切り目やＶ字状溝等の切り取り手段により切り取り可能に前記メディアベースに一体形成し、前記部位上に前記データキャリアの一部を配置していることを特徴とする。
【００１９】
請求項６の発明によれば、メディアベースのセンターホールに臨むデータキャリアの一部の切り取りが容易に行える。
【００２０】
請求項７の発明では、請求項６の発明において、前記センターホール内の一部若しくは全部を閉塞する部位としてデータキャリアのベースを用いる前記センターホール内に臨む部位には円周上に複数の切り目を所定間隔で穿孔して形成した切り取り手段を設け、前記円周内に前記データキャリアのアンテナ若しくは、アンテナとＩＣチップとを接続するリード部を配置するとともに、前記円周が横切る方向の前記アンテナ若しくは前記リード部の幅を、切り目の円周方向の長さよりも大きくしていることを特徴とする。
【００２１】
請求項７の発明によれば、切り目の穿孔位置の精度を上げなくても切り目がアンテナやリード部を切断することがなく、そのため製品不良の発生の減少、加工工数削減等により製造コストを低減できる。
【００２２】
請求項８の発明では、請求項１乃至７の何れかの発明において、前記識別情報部として、印字情報が変更可能な再印字可能材料からなる印字エリアを有していることを特徴とする。
【００２３】
請求項８の発明によれば、販売業者（販売店）や貸出業者（貸出店）等の業者の情報や販売日時等の文字情報やＩＤの変更が行え、記録メディアを再利用する場合に適している。
【発明の効果】
【００２４】
本発明は、複数の識別情報部に各別に書き込んだ識別情報により、識別情報の複雑化が図れ、そのため複製等の不正を抑制して不正使用を防止することができ、また使用により識別情報の読み取り不可となる識別情報部によって当該メディアが使用されたか未使用のものかを判別することができ、その結果買い取り価格や貸出料金の決定が容易となり、販売と買い取りや貸与と返却と或いは交換というサービスに有効な記録メディアを提供できるという効果がある。
【発明を実施するための最良の形態】
【００２５】
以下本発明を実施の形態により説明する。
（実施形態１）
本実施形態の図２に示すような光学記録ディスクである名刺型（円盤を含め通常のドライブ装置にかけることができればその他の形状でも良い）のＣＤ−ＲＯＭ、或いはＣＤ−Ｒ、ＣＤ−Ｒ／Ｗ、各種ＤＶＤ等の記録メディア１からなり、センターホール２を中心として設けられた記録部３にはこの記録メディア１を図３に示すようにインターネットＮＴに接続されているパソコン４の光学ドライブ装置４０に装着すると、パソコン４で実行されているＯＳの制御の下で、ロードされて起動される立ち上がり用プログラムが記録されている。立ち上がり用プログラムは、インターネットＮＴ上に設けられたサービス提供業者のサーバー５上のゲームプログラムや音楽データをダウンロードするための操作プログラムを購入者（借り出し者）に提供するプログラムである。
【００２６】
さて記録部３以外のメディアベース１ａには図１に示すようにバーコードと英数字からからなる識別情報（ＩＤ）を記した識別情報部６と、非接触型でリード・ライタ（読み取り・書き込み手段）から送信される電波や電磁結合により電力供給を受け、メモリ部（図示せず）に書き込まれている識別情報（ＩＤ）を電磁結合や電波による無線信号をリード・ライタへ送信する非接触型のデータキャリア７からなる情報識別部とを前記記録部３のデータ読み取りの障害とならないように設けてある。
【００２７】
ここで識別情報部６は記録メディア１のメディアベース１ａ上にバーコード及び英数字を直接印刷することで構成しても良く、また英数字及びバーコードを印刷したシールをメディアベース１ａ上に貼り付けることで構成しても良い。
【００２８】
一方本実施形態で使用するデータキャリア７は図４に示すように信号処理の回路やメモリ部を集積したＩＣチップ部７ａと、このＩＣチップ部７ａの両側に翼状に設けた通信用のアンテナ部７ｂ、７ｂと、アンテナ部７ｂ、７ｂとで構成されたもので、図１（ａ）に示すようにセンターホール２の中心部にＩＣチップ部７ａを臨ませ、両側のアンテナ部７ｂ、７ｂを図１（ｂ）に図示するように記録メディア１のメディアベース１ａ上に粘着剤や接着剤で固定し、更にその上にシール、セロファンテープ、印刷塗料等からなるカバー体８で覆おう構成となっており、記録メディア１をパソコン４で使用する場合にはセンターホール２に臨んだ部位（ＩＣチップ部７ａ及びＩＣチップ部７ａとアンテナ部７ｂ、７ｂとを接続するリード部７ｃ、７ｃ）を図１（ｃ）に示すように切り取るようになっている。図１（ｄ）は切り取られた部位を示す。
【００２９】
尚図１で示すデータキャリア７の大きさは、構成を分かりやすくするために大きく示しているが、実際には記録メディア１の記録部３に影響を与えない小さなものである。また後記の図６、図７も同様に表現している。
【００３０】
次に本実施形態の記録メディア１を用いたサービスの一例を説明する。
【００３１】
まず本実施形態の記録メディア１を販売業者（販売兼買い取り業者）或いは貸出業者は、固定的なバーコード及び英数字によるＩＤを記した識別情報部６をメディアベース１ａ上に直接印刷若しくはシール貼り付けにより設けておく。このＩＤは当該記録メディア１の固有の識別情報であり、英数字は当該記録メディア１をパソコン４で使用する際に、立ち上げ用プログラムの実行後パソコン４のディスプレイ画面から入力が要求されたときに入力するためのものである。
【００３２】
そしてデータキャリア７のＩＣチップ部７ａには当該記録メディア１を販売或いは貸し出す際に、リーダライタを用いて特有のアルゴリズムにより生成されたＩＤを書き込む。これにより、データキャリア７に可変的に書き込まれるＩＤと識別情報部６の固定的なＩＤとの組み合わせにより不正な複製を抑止する効果を持たせている。そして販売時或いは貸出時に発行された二つのＩＤを前記サーバー５上の販売（貸し出し）のデータベースにインターネットＮＴを通じて登録する処理を行う。以後当該記録メディア１の管理はサーバー５側で行われることになる。
【００３３】
而して当該記録メディア１を購入若しくは貸し出した購入者（借り出し者）は、実際に使用する前に当該記録メディア１を通じて提供されるゲームプログラムや音楽が気に入らない場合には、当該記録メディア１をそのまま買い取り業者（販売兼買い取り業者）或いは貸出業者の店舗の窓口へ持っていき、バードコードリーダ及びデータキャリア７のリーダが備わり、インターネットＮＴを通じて前記サーバー５に接続された自動処理機９に装着すると、自動処理機９が記録メディア１の識別情報部６のＩＤと、データキャリア７に書き込まれたＩＤとを読み取るとともに、読み取ったＩＤで特定される当該記録メディア１に対応したサーバー５のデータベース上の記録データを読み出し、正規に販売若しくは貸し出されたものであるかを判断し、正規なものであれば、買い取り価格若しくは払戻価格が決定されて、その価格がディスプレ（図示せず）で提示された後、自動処理機９から現金が払い戻される。
【００３４】
この際サーバー５に備わった販売（貸し出し）の記録データを保存したデータベース上の当該記録メディア１の販売（貸し出し）データを自動修正して買い取った（返却された）ことを記録する。
【００３５】
一方記録メディア１により提供されるゲームや音楽が気に入った場合には、購入者（借り出し者）は、記録メディア１のセンターホール２に臨んでいるＩＣチップ部７ａをアンテナ部７ｂから分離して、パソコン４に付設されるドライブ装置４０にかければ、自動的に立ち上げ用プログラムが実行されることになる。
【００３６】
前記切り取りは手で行っても良いが、図５（ａ）（ｂ）に示すような器具１０を用いても良い。この器具１０は中央に一方が開口した記録メディア１と同形の凹部１１を設けるとともに、この凹部１１の底面中央に記録メディア１のセンターホール２に対応した円形の凹所１２を設けたもので、使用時にはまず記録メディア１を凹部１１内に開口部１０ａを利用してはめ込み、次に上面側からパンチのような断面円形でセンターホール２の内径とほぼ同じ外径を有する治具１３をセンターホール２に差し込む。これによりＩＣチップ部７ａを支えるアンテナ部７ｂのリード部７ｃ及びリード部７ｃを覆うカバー体８の部位が切断されることになる。
【００３７】
さて前記立ち上げ用のプログラムが実行されると、パソコン４は通信部を用いてインターネットＮＴを通じてサーバー５を呼び出して当該パソコン４との間の情報伝達路が確立させる一方、パソコン４のディスプレイの画面に当該記録メディア１に記されているＩＤの入力を要求する画面が表示される。この画面の指示に従って購買者（借り出し者）は記録メディア１に記された英数字で示されるＩＤを、キーボードを用いて入力すると、パソコン４を通じて入力ＩＤがサーバー５へ送られ、サーバー５は、販売記録（貸し出し記録）のデータベースの記録データを検索して当該記録メディア１が販売若しくは貸し出し中であるか否かを判断し、販売若しくは貸し出し中の正規のメディアと認定すると、ゲームの場合であれば、所定のゲームプログラムを、インターネットＮＴを通じてパソコン４へ送り、立ち上げ用プログラムの制御の下でダウンロードする。或いは音楽の場合には所定の音楽データを同様にパソコン４にダウンロードする。
【００３８】
これにより購入者若しくは借り出し者はダウンロードされたゲームプログラムを実行してゲームを楽しむことができることになる。また音楽データの場合にはパソコン４に搭載されているマルチメディアソフトを通じて再生することで音楽を楽しむことができる。
【００３９】
さて購買者が使用後の記録メディア１を前記自動処理機９にかけて払い戻しを受けようとしても、すでにデータキャリア７はその機能を働かせることができないため、自動処理機９はこれを検出して不正払い戻しであると判断し、払い戻しを行わない。従って不正な払い戻しを防止することができるのである。また不正に切り取り部位を接合してデータキャリア７を復元しても、サーバー５のデータベースでは当該ＩＤの記録メディア１の使用済みが記録されているため、この場合も不正払い戻しと判断し、払い戻しは行われない。
【００４０】
ここで記録メディア１を１回使用の使い切りではなく、記録メディア１をパソコン４のドライブ装置４０にかけて上述の手順でサーバー５からプログラムやデータをダウンロードした回数をサーバー５で積算することで、使用回数に応じた料金が販売料金未満の場合に差額を払い戻すようにしても良い。また記録メディア１を貸し出すサービスの場合には使用回数を管理することで、貸出料金を決定するようにしても良い。
【００４１】
ところで、図１の場合には記録メディア１のセンターホール２の中心にデータキャリア７のＩＣチップ部７ａを配置しているが、図６（ａ）に示すようにアンテナ部７ｂの一部及びリード部７ｃの一部をセンターホール２内に臨ませても良い。この場合前記器具１０などを利用して当該アンテナ部７ｂを分断し、データキャリア７の機能を破損させる。図６（ｂ）は記録メディア１のメディアベース１ａへの実装状態を示し、同図（ｃ）は切断状態を示し、同図（ｄ）はアンテナ部切断片を示す。尚この場合ＩＣチップ部７ａに対応する窪み１ｂを図示するように形成して記録メディア１の厚みに影響を与えないようにするとともに、データキャリア７の脱落を防止している。アンテナ部７ｂのメディアベース１ａへの固定は図１の場合と同様に行う。
【００４２】
また図７（ａ）（ｂ）に示すようにセンターホール２内にメディアベース１ａの一部を張り出させて一部を閉塞し、その張り出し部位１ｃ上にデータキャリア７のＩＣチップ部７ａを配置してカバー体８で覆うようにしても良い。この場合張り出し部位１ｃの基部にミシン目状の切り目や、Ｖ字状溝等からなる切り離し手段を形成し、張り出し部位１ｃをメディアベース１ａから容易に切り離しできるようにしている。尚センターホール２全体をノックアウト式の孔としても良い。
【００４３】
またバーコード及び数字からなる情報識別部６は前記例では図８（ａ）に示すように記録メディア１の右肩位置としているが、図８（ｂ）に示すように片側に設けても良く、また図８（ｃ）（ｄ）に示すようにバーコードを異なる方向、位置で複数表示する形で設けても良い。英数字は何れの場合も一カ所で表示すれば良い。
【００４４】
更に前記データキャリア７の配置位置は、上述のように記録メディア１のセンターホール２に一部が臨み、記録メディア１を使用する際にはその一部を切り取らなければ使用できないようにしているが、センターホール２を含めて記録メディア１をカバー体８で覆い、カバー体８を剥がすことでセンターホール２の使用を可能とする場合には、データキャリア７をメディアベース１ａ上の任意の位置にカバー体８で押さえるように取り付けても良い。図９はその配置例を示す。
【００４５】
また更に販売料金未満の使用後に買い取った記録メディア１や返却された記録メディア１を再使用するサービスシステムの場合には、ロイコ染料等を用いて感熱処理により再印字できる印字エリアを持つ識別情報部６を記録メディア１のメディアベース１ａに設け、発行日（販売日）、発行店（販売店や貸出店）、有効日時など印字して視認可能とするとともに、バーコードや英数字からなるＩＤを販売時や貸出時に再印字することで、ＩＤも変更できるようにしても良い。
【００４６】
またＩＤを書き込む識別情報部６としては磁気テープ等により構成してＩＤを変更可能としても良い。
【００４７】
更に記録メディア１がＣＤ−ＲＷで使用するドライブ装置４０が対応しているものを用いる場合には、記録メディア１側に使用後に消去されるＩＤデータを販売（貸し出し）時に予め登録するとともに、立ち上げ用プログラムにＩＤデータを消去するプログラムを含ませ、使用時にＩＤデータを自動的に消去させるようにしても良い。
（実施形態２）
本実施形態に用いるデータキャリア７は、図１０（ａ）に示すように円形の絶縁シート７０と、この絶縁シート７０の中心部に配置されるＩＣチップ部７ａと、このＩＣチップ部７ａを中心とする環状のアンテナ部７ｂと、前記ＩＣチップ部７ａの両側とを接続するリード部７ｃからなるキャリヤ要素とからなり、図１０（ｂ）、（ｃ）に示すように円形状の絶縁シート７０の中心とメディアベース１ａのセンターホール２の中心とを一致させるように記録部３の読み取り側面とは反対側の面に粘着剤１４を用いて貼着し、更にその上から表面からロイコ染料等により再印刷可能なシート状のカバー体８を粘着剤１４’を用いて貼り着する構成となっている。この場合カバー体８の周縁がメディアベース１ａの周縁よりもやや内側に位置するようにカバー体８の大きさをメディアベース１ａの大きさよりも若干小さくしてある。
【００４８】
一方メディアベース１ａの記録部３の読み取り側面には円環状のスタックリブ１５を一体形成している、このスタックリブ１５の内径の大きさは絶縁シート７０の外径以上（例えばφ３７ｍｍ）で且つスタックリブ１５の高さをＩＣチップ部７ａの高さよりも若干高く若しくは略同等の高さとしてある。
【００４９】
カバー体８の縁部に形成した切欠１６は、自動処理機９が光学的センサなどにより読み取って、記録メディア１の方向判定などに用いるためのものである。
【００５０】
尚粘着剤１４の代わり両面に感圧粘着剤を塗布している感圧接着テープ（両面テープ）を用いても勿論良い。
【００５１】
またセンターホール２に臨ませるデータキャリア７の部位において、センターホール２の内径とほぼ同じ直径の円周上にミシン目状の切り目や、Ｖ字状溝等からなる切り離し手段を形成し、センターホール２内に臨むデータキャリア７の部位の切り離し易くしても良い。
【００５２】
而して本実施形態の記録メディア１の購買者或いは借り出した者が、パソコン４に備わったドライブ装置４０を用いて実施形態１と同様に音楽やゲームを楽しむ場合には、記録メディア１のセンターホール２を塞いでいるデータキャリア７の絶縁シート７０の部位と、この部位に配設されているＩＣチップ部７ａ及びリード部７ｃとを除去してドライブ装置４０に装着できるようにする。この除去によってデータキャリア７は機能しなくなり、当該記録メディア１が使用済み品となる。
【００５３】
一方販売業者や貸出業者等の業者において、本実施形態の複数枚の記録メディア１を同じ向きにし上述の自動処理機９に装着する収納ケース等内に積み重ねる場合、互いに重なる一方の記録メディア１のデータキャリア７が他方の記憶メディ１のスタックリブ１５で囲まれた中央部の範囲内に納まって、データキャリア７のＩＣチップ部７ａ積み重ね高さを最小限若しくは無視できることになり、そのため積み重ね枚数を最大限とすることできる。またスタックリブ１５によって積み重ねる記録メディア１同士が密着するのを防ぎ、記録メディア１同士が張り付くのを防止できる。
【００５４】
本実施形態の記録メディア１を用いる販売や貸し出しの業務形態については実施形態１と同じであるので説明は省略する。
【００５５】
（実施形態３）
上記実施形態２の例ではデータキャリア７は記録メディア１のメディアベース１ａの表面に貼り着するため、メディアベース１ａの表面よりもデータキャリア７の部位が突出するため、積み重ねて取り扱う場合、スタックリブ１５が存在しても傾く恐れがある。
【００５６】
そこで本実施形態の記録メディア１は、図１１（ａ）に示すように絶縁シート７０の表面からＩＣチップ部７ａの先端面までの寸法よりも深い寸法で絶縁シート７０が収まる程度の内径を持つ円形の凹部１７をセンターホール２と同心に形成し、この凹部１７の底面にデータキャリア７を粘着剤（或いは両面テープ）で貼り着するようにした点に特徴がある。
【００５７】
従ってデータキャリア７を貼着した側のメディアベース１ａの面に実施形態２と同様なシート状カバー体８を粘着剤１４’により貼り付けても、カバー体８の表面は下側のデータキャリア７の影響を受けることがなく、図１１（ｂ）に示すように一様に平坦な面となる。
【００５８】
而して本実施形態の記録メディア１を同じ方向に積み重ねて使用する場合、記憶メディア１の厚みバランスによって傾くことがなく安定した積み重ねができ、当該記録メディア１を客に渡すために自動発行装置を用いて所定枚数を重ねて出す場合や、買い戻すときや返却されたときに自動回収装置により重ねて回収する場合などにおいて、傾きによって機械詰まりを防ぐことができる。
【００５９】
尚本実施形態の記録メディア１を使用する場合や、販売サービス、貸し出しサービスなどの形態は実施形態１と同じであるので、ここでは説明は省略する。
【００６０】
（実施形態４）
ところで実施形態２や実施形態３のようにカバー体８を貼り着した場合、カバー体８の周縁の端面が露出しているため、発行、回収の過程で使用する装置において引っかかりが生じて剥がれたり、或いは人が持ち運びする過程でものに引っかかって剥がれる等の恐れがある。
【００６１】
そこで図１１（ｃ）、（ｄ）に示すようにメディアベース１ａの周縁部の全周に亘ってリブ１８を形成し、このリブ１８によって囲まれる凹面をシート状のカバー体８を貼り付ける面としたのが本実施形態であり、メディアベース１ａに貼り付けたカバー体８の周縁の端面はリブ１８によって露出することがなく、上述のような剥がれを防ぐことができることになる。
【００６２】
尚リブ１８を設けた構成以外は実施形態３と同じであるので、同じ構成要素には同じ符号を付し説明は省略する。
【００６３】
上記のリブ１８を形成する代わりに露出するカバー体８の全周の端面を、図１１（ｅ）に示すレジストインクなどの樹脂を用いてコーティングを施して形成したフィレット１９で被蔽するようにしても勿論良い。尚フィレット１９の一部がカバー体８の表面に盛り上がるため、例えばカバー体８の表面に印刷している情報を読み取るためにカバー体８表面の印刷部位に読み取り装置のヘッドを近接させる際には、フィレット１９の盛り上がりが障害とならないように、図１１（ｆ）に示すように印刷部位８ａに対応する位置の盛り上がり部位を除去すれば良い。
【００６４】
（実施形態５）
ところで上述のようにセンターホール２の開口をデータキャリア７で閉塞している記録メディア１であって、記録読み取り面側のセンターホール２の開口が閉塞されていない場合、記録部３からデータを読み出すことができるドライブ装置が存在しているため、本実施形態の記録メディア１は、図１１（ｇ）に示すようにセンターホール２内に臨むデータキャリア７の部位に、記録読み取り面側のセンターホール２の開口からセンターホール２の内径とほぼ同じ外径の円形状の孔埋め材２０を貼り付けてセンターホール２を埋めてある。
【００６５】
而して本実施形態の記録メディア１は、センターホール２内の孔受け込み材２０及びデータキャリア７の部位を除去しないかぎり、上述のドライブ装置であっても記録部３からデータの読み出しができなる。従って不法に或いは誤って記録メディア１が使用されるのを防ぐことができる。
【００６６】
本実施形態の孔埋め込み材２０を用いる構成は上述の実施形態の何れにも適用できるので、記録メディア１全体の構成の説明及び図示や本実施形態を用いる業務形態の説明は省略する。
【００６７】
（実施形態６）
例えば図１０に示すようなチップ部７ａとアンテナ部７ｂを接続するリード部７が細幅のデータキャリア７に対して、センタホール２に臨むデータキャリア７の部位の除去を容易にするためにミシン目のような切り目からなる切り離し手段を形成する場合、リード部７ｃを切り目形成時に切断しないように切り目の長さや間隔を調整して加工精度を上げる必要がある。
【００６８】
そこで本実施形態の記録メディア１は、図１２（ａ）に示す用いるデータキャリア７のチップ部７ａとアンテナ部７ｂを接続するリード部７ｃの幅寸法を、図１２（ｂ）に示すようにリード部７ａを幅方向に横断するように形成する切り離し部２１の切り目２１ａの長さよりも大きくすることで、切り目形成時に加工精度を上げなくてもリード部７ｃが切断されることが無いようしている。
【００６９】
而して本実施形態の記録メディア１では切り目形成過程での不良品発生が無くなり、また加工精度を上げるための調整などの工数を削減することができ、製造コストの低減が図れるという利点がある。
【００７０】
尚本実施形態のデータキャリア７と切り目からなる切り離し部２１の構成は上述の実施形態の何れにも適用できるので、記録メディア１全体の構成の説明及び図示や本実施形態を用いる業務形態の説明は省略する。
【図面の簡単な説明】
【００７１】
【図１】実施形態１の記録メディアを示す図であって、（ａ）は記録メディアの正面図、（ｂ）は記録メディアへのデータキャリアの取り付け説明図、（ｃ）はデータキャリアの一部切り取り後の記録メディアの正面図、（ｄ）はデータキャリアの切り取り部分の正面図である。
【図２】実施形態１のＣＤ−ＲＯＭからなる記録メディアの正面図である。
【図３】実施形態１の記録メディアを用いたサービス提供のシステムの概要構成図である。
【図４】同上に用いるデータキャリアの拡大正面図である。
【図５】実施形態１の記録メディアからデータキャリアの切り取り用の工具を示すものであって、（ａ）は工具の使用説明図、（ｂ）は工具の上面図である。
【図６】実施形態１の記録メディアの別の例を示すものであって、（ａ）は記録メディアの正面図、（ｂ）は記録メディアへのデータキャリアの取り付け説明図、（ｃ）はデータキャリアの一部切り取り後の記録メディアの正面図、（ｄ）はデータキャリアの切り取り部分の正面図である。
【図７】実施形態１の記録メディアの他の例を示すものであって、（ａ）は記録メディアの正面図、（ｂ）は記録メディアへのデータキャリアの取り付け説明図である。
【図８】（ａ）乃至（ｄ）は実施形態１の識別情報部の配置位置説明用の記録メディアの正面図である。
【図９】実施形態１のデータキャリアの別の配置例を示す記録メディアの正面図である。
【図１０】実施形態２の記録メディアを示す図であって、（ａ）は記録メディアの正面図、（ｂ）は記録メディアの分解状態の側断面図、（ｃ）は記録メディアの断面図である。
【図１１】実施形態３〜の実施形態５の記録メディアを示す図であって、（ａ）は実施形態３の記録メディアの正面図、（ｂ）は実施形態３の記録メディアの側断面図、（ｃ）は実施形態４の記録メディアの正面図、（ｄ）は実施形態４の記録メディアの側断面図、（ｅ）は実施形態４の別の例の記憶メディアの要部の拡大断面図、（ｆ）は実施形態４の別の例の記憶メディアの正面図、（ｇ）は実施形態５の一部破断省略せる要部の断面図である。
【図１２】実施形態６に用いるデータキャリアを示す図であって、（ａ）は拡大正面図、（ｂ）は要部の説明図である。
【符号の説明】
【００７２】
１  記録メディア
１ａ  メディアベース
２  センターホール
６  識別情報部
７  データキャリア
７ａ  ＩＣチップ部
７ｂ  アンテナ部
【図１】
2005050496.tif 000003
【図２】
2005050496.tif 000004
【図３】
2005050496.tif 000005
【図４】
2005050496.tif 000006
【図５】
2005050496.tif 000007
【図６】
2005050496.tif 000008
【図７】
2005050496.tif 000009
【図８】
2005050496.tif 000010
【図９】
2005050496.tif 000011
【図１０】
2005050496.tif 000012
【図１１】
2005050496.tif 000013
【図１２】
2005050496.tif 000014